(57)【要約】【課題】端子や導通ピンに負荷をかけることなく、かつ、コネクタを簡単に取り付けて取り外すことができる導通検査治具、該導通検査治具を備えた導通検査装置、及び導通検査方法を提供する。【解決手段】導通検査治具１は治具本体２と保持手段４と導通検査部５と導通部材５２とエアシリンダ７１と押出部材６と第二のエアシリンダ７２とを備えている。治具本体２はコネクタ１６を収容自在な穴３２を有している。保持手段４はコネクタ１６を穴３２内に保持する。導通検査部５はコネクタ１６に対して接離自在に設けられ、導通検査部５がコネクタ１６に近づくと導通部材５２はコネクタの端子と電気的に接続する。エアシリンダ７１は導通検査部５をコネクタ１６に接離させる。押出部材６は穴３２内にコネクタの挿抜方向Ｓに沿ってコネクタ１６と治具本体２との間に配される。第二のエアシリンダ７２は押出部材６を前記挿抜方向Ｓに沿って変位させる。【選択図】図２
2009128216.tif 000002
【特許請求の範囲】
【請求項１】
コネクタの端子の導通検査を行う導通検査治具であって、
前記コネクタを収容自在でかつ外表面に開口した穴を有した治具本体と、
前記穴内に収容された前記コネクタを該穴内に保持する保持手段と、
前記穴内に保持された前記コネクタに対して接離自在に設けられた導通検査部と、
前記導通検査部に設けられかつ該導通検査部が前記コネクタに近づくと前記端子と電気的に接続する導通部材と、
前記導通検査部を前記コネクタに接離させる駆動源と、
前記穴内に前記コネクタの挿抜方向に沿って前記コネクタと前記治具本体との間に配された押出部材と、
前記押出部材を前記挿抜方向に沿って変位させる第二の駆動源と、
を備えたことを特徴とする導通検査治具。
【請求項２】
前記治具本体が、本体部材と、前記本体部材と別体で設けられかつ内部にコネクタを収容する凹部を有したコネクタ収容部材と、を備えたことを特徴とする請求項１に記載の導通検査治具。
【請求項３】
前記押出部材が、前記穴内に収容された前記コネクタの前面と対向するとともに複数の導通ピンからなる前記導通部材を挿通する挿通孔を有した押出板と、前記押出板から突出して設けられた突出部と、を備えたことを特徴とする請求項１または請求項２に記載の導通検査治具。
【請求項４】
表面上にワイヤハーネスを布線する布線板と、前記布線板に設置された請求項１ないし請求項３のうちいずれか一項に記載された導通検査治具と、を備えたことを特徴とする導通検査装置。
【請求項５】
コネクタの端子の導通検査を行う導通検査方法であって、
押出部材を収容した穴内に前記コネクタを収容して保持し、
前記穴内に保持された前記コネクタの端子に導通部材を接触させて導通検査を行った後に該端子から該導通部材を遠ざけ、
前記押出部材を前記穴外へ向かって変位させて前記コネクタを前記穴外へと押し出すことを特徴とする導通検査方法。
【発明の詳細な説明】
【技術分野】
【０００１】
本発明は、コネクタの端子の導通検査を行う導通検査治具、該導通検査治具を備えた導通検査装置及び導通検査方法に関する。
【背景技術】
【０００２】
複数の電線と、これら電線の端部それぞれに接続された端子を収容するコネクタとを備えたワイヤハーネスは、前記端子それぞれについて、他の端子との導通の有無をチェックすることによって良否が判定されてきた。
【０００３】
従来この種のワイヤハーネスの導通検査方法は、以下に示す手順に沿って行われてきた。まず、ワイヤハーネスの端子のうち一つの端子を選択し、この選択した端子に電圧を印加して他の端子の電位の高低を判定する。全ての端子に順番に電圧を印加して、それぞれの場合の電圧を印加した端子以外の全ての端子の電位を順番に判定する。そして、全ての端子の相互の導通状況を把握する。
【０００４】
前述したように把握した端子相互の導通状況と、前記ワイヤハーネスが正常である場合の端子相互の導通状況とを対比することによって、前記ワイヤハーネスの良否、及び異常がある場合には異常箇所を把握してきた。
【０００５】
前述したようにワイヤハーネスの導通検査を行うために、従来から種々の導通検査治具（例えば、特許文献１参照）が用いられてきた。特許文献１に示された導通検査治具は、コネクタを収容自在でかつ外表面に開口した穴を有した治具本体と、治具本体に回動自在に設けられた回動片と、ソレノイドとを備えている。
【０００６】
治具本体の穴内には、導通ピンが突出している。導通ピンは、治具本体を貫通した貫通孔内に通されるとともに、該貫通孔内に通された圧縮コイルばね内に通されている。導通ピンは、圧縮コイルばねによって穴内に突出する方向に付勢され、貫通孔内から突没自在に設けられている。
【０００７】
回動片は、その一端部が鈎状に形成されており、該一端部が穴内に突出する位置と、該一端部が穴内から抜け出る位置とに亘って回動自在に設けられている。ソレノイドは、治具本体に取り付けられたソレノイド本体と、ソレノイド本体から突没自在に設けられたロッドとを備えている。ロッドは、回動片の他端部に連結している。
【０００８】
前述した構成の導通検査治具を用いて導通検査を行う際には、まず、コネクタを穴内に挿入してコネクタの端子を導通ピンと当接させた後に、更にコネクタを押し込む。すると、端子が圧縮コイルばねを弾性変形させて導通ピンが貫通孔内に一部押し込まれる。この状態でソレノイドのロッドを伸長させて回動片の一端部を穴内に突出させることによってコネクタを穴内に保持した後、導通検査を行う。
【０００９】
そして、導通検査が終了した後に、ソレノイドのロッドを縮小させて回動片の一端部を穴内から抜け出させる。すると、圧縮コイルばねの弾性復元力によって導通ピンがコネクタの端子を押し上げ、コネクタが穴外に向かって押し出される。
【００１０】
このような導通検査治具は、表面上にワイヤハーネスが布線される布線板の裏面側（下側）に突出するように該布線板に取り付けられるので、布線板の表面上に取り付けられる導通検査治具（例えば、特許文献２参照）と比較すると、導通検査治具がコネクタや電線等とぶつかってコネクタや電線等に傷がついたりすることがなく、また、導通検査治具に電線が引っ掛かる等して作業がしづらくなったりすることがない。
【００１１】
また、このような導通検査治具は前述した布線板に対して直交する方向に可動するので、ワイヤハーネスの一部分に複数のコネクタが密集している場合に、これらコネクタに対応して複数の導通検査治具を密集させて布線板に取り付けても、それぞれの導通検査治具が可動する際に互いに邪魔になることがなく、導通検査を作業性良く行うことができる。
【特許文献１】特開平５−２８８７９２号公報
【特許文献２】特開平７−３７４４８号公報
【発明の開示】
【発明が解決しようとする課題】
【００１２】
しかしながら、前述した特許文献１に記載された導通検査治具においては、コネクタを穴内に押し込むことによってコネクタの端子が導通ピンと当接して圧縮コイルばねを弾性変形させ、また、導通検査が終了した後には導通ピンが端子を押し上げてコネクタを穴外に向かって押し出すので、端子や導通ピンに負荷がかかって端子や導通ピンが曲がったり破損したりしてしまうといった問題があった。また、コネクタを穴内に挿入する際にコネクタを押し込むので、作業性が悪いといった問題があった。
【００１３】
本発明は、このような問題を解決することを目的としている。即ち、本発明は、端子や導通ピンに負荷をかけることなく、かつ、コネクタを簡単に取り付けて取り外すことができる導通検査治具、該導通検査治具を備えた導通検査装置、及び導通検査方法を提供することを目的としている。
【課題を解決するための手段】
【００１４】
前記課題を解決し目的を達成するために、請求項１に記載された発明は、コネクタの端子の導通検査を行う導通検査治具であって、前記コネクタを収容自在でかつ外表面に開口した穴を有した治具本体と、前記穴内に収容された前記コネクタを該穴内に保持する保持手段と、前記穴内に保持された前記コネクタに対して接離自在に設けられた導通検査部と、前記導通検査部に設けられかつ該導通検査部が前記コネクタに近づくと前記端子と電気的に接続する導通部材と、前記導通検査部を前記コネクタに接離させる駆動源と、前記穴内に前記コネクタの挿抜方向に沿って前記コネクタと前記治具本体との間に配された押出部材と、前記押出部材を前記挿抜方向に沿って変位させる第二の駆動源と、を備えたことを特徴とした導通検査治具である。
【００１５】
請求項２に記載された発明は、請求項１に記載された導通検査治具において、前記治具本体が、本体部材と、前記本体部材と別体で設けられかつ内部にコネクタを収容する凹部を有したコネクタ収容部材と、を備えたことを特徴とした導通検査治具である。
【００１６】
請求項３に記載された発明は、請求項１または請求項２に記載された導通検査治具において、前記押出部材が、前記穴内に収容された前記コネクタの前面と対向するとともに複数の導通ピンからなる前記導通部材を挿通する挿通孔を有した押出板と、前記押出板から突出して設けられた突出部と、を備えたことを特徴とした導通検査治具である。
【００１７】
請求項４に記載された発明は、表面上にワイヤハーネスを布線する布線板と、請求項１ないし請求項３のうちいずれか一項に記載された導通検査治具と、を備えたことを特徴とした導通検査装置である。
【００１８】
請求項５に記載された発明は、コネクタの端子の導通検査を行う導通検査方法であって、押出部材を収容した穴内に前記コネクタを収容して保持し、前記穴内に保持された前記コネクタの端子に導通部材を接触させて導通検査を行った後に該端子から該導通部材を遠ざけ、前記押出部材を前記穴外へ向かって変位させて前記コネクタを前記穴外へと押し出すことを特徴とした導通検査方法である。
【発明の効果】
【００１９】
請求項１に記載された発明によれば、コネクタの端子の導通検査を行う導通検査治具であって、コネクタを収容自在でかつ外表面に開口した穴を有した治具本体と、穴内に収容されたコネクタを該穴内に保持する保持手段と、穴内に保持されたコネクタに対して接離自在に設けられた導通検査部と、導通検査部に設けられかつ該導通検査部がコネクタに近づくと端子と電気的に接続する導通部材と、導通検査部をコネクタに接離させる駆動源と、穴内にコネクタの挿抜方向に沿ってコネクタと治具本体との間に配された押出部材と、押出部材を前記挿抜方向に沿って変位させる第二の駆動源とを備えているので、コネクタが穴内に保持された後で導通検査部がコネクタに近づいて導通検査を行うことによって、コネクタを穴内に挿入する際にコネクタの端子や導通部材に負荷をかけることがなく、また、コネクタを簡単に取り付けることができる。さらに、導通検査が終了した後に押出部材がコネクタを押し上げて該コネクタを穴外に押し出すことによって、コネクタを穴外に押し出す際にコネクタの端子や導通部材に負荷をかけることがなく、また、コネクタを簡単に取り外すことができる。
【００２０】
請求項２に記載された発明によれば、治具本体が、本体部材と、該本体部材と別体で設けられかつ内部にコネクタを収容する凹部を有したコネクタ収容部材とを備えているので、導通検査を行うコネクタに合わせてコネクタ収容部材をのみを取り替えるだけで、治具本体を異なるコネクタに対応させ、コストダウンを図ることができる。
【００２１】
請求項３に記載された発明によれば、押出部材が、穴内に収容されたコネクタの前面と対向するとともに複数の導通ピンからなる導通部材を挿通する挿通孔を有した押出板と、押出板から突出して設けられた突出部とを備えているので、コネクタの前面を押し上げることによって、導通ピンに負担をかけることなく、且つ、コネクタを確実にコネクタの挿抜方向に沿って真っ直ぐに押し上げることができる。
【００２２】
請求項４に記載された発明によれば、表面上にワイヤハーネスを布線する布線板と、該布線板に設置された導通検査治具とを備えているので、コネクタの端子や導通部材に負荷をかけることがなく、また、コネクタを簡単に取り付けて取り外すことができる。
【００２３】
請求項５に記載された発明によれば、予め押出部材を収容した穴内にコネクタを収容して保持し、穴内に保持されたコネクタの端子に導通部材を近づけて導通検査を行った後に該端子から該導通部材を遠ざけ、押出部材を穴外へ向かって変位させてコネクタを穴外へと押し出すので、コネクタを穴内に挿入する際にコネクタの端子や導通部材に負荷をかけることがなく、また、コネクタを簡単に取り付けることができる。さらに、コネクタを穴外に押し出す際にコネクタの端子や導通部材に負荷をかけることがなく、また、コネクタを簡単に取り外すことができる。
【発明を実施するための最良の形態】
【００２４】
以下、本発明の一実施形態にかかる導通検査装置１０と導通検査治具１とを図１ないし図１０を参照して説明する。本発明の一実施形態にかかる導通検査装置１０は、ワイヤハーネスを布線して、該ワイヤハーネスに導通検査を施す際に用いられる。
【００２５】
ワイヤハーネスは、複数の電線（図示せず）と、これら電線の端部に取り付けられた端子（図示せず）と、該端子を収容するコネクタハウジング１５等を備えている。ワイヤハーネスは、前記電線を所望の形状に束ね、かつ、これら電線の主要部にプロテクタや樹脂チューブやクリップ等の部品を組み付けたりテープを巻き付けたりして構成されている。
【００２６】
電線は、それぞれ、導電性の金属材料からなる芯線と、該芯線を覆う絶縁性の合成樹脂等からなる被覆部とを備えた所謂被覆電線である。端子は、導電性の金属材料からなる板金を折り曲げる等して形成されている。端子は、電線の芯線と電気的に接続されている。
【００２７】
コネクタハウジング１５は、絶縁性の合成樹脂等からなる。コネクタハウジング１５は、図５等に示すように、端子収容室１５ａを複数有した箱状に形成されている。端子収容室１５ａは、その内部に端子を収容する。端子収容室１５ａは、コネクタハウジング１５内に設けられた直線状に延びた空間である。端子収容室１５ａの両端は、コネクタハウジング１５の外表面に開口している。端子と、該端子を収容したコネクタハウジング１５とは、コネクタ１６を構成している。即ち、ワイヤハーネスは、コネクタ１６を備えている。
【００２８】
導通検査装置１０は、図１に示すように、ベース１１と、布線板１２と、導通検査治具１と、制御装置１３とを備えている。ベース１１は、フロア上に立設された複数の脚部１１ａと、該脚部１１ａに連なる枠部１１ｂとを備え、略テーブル状に形成されている。布線板１２は、矩形平板状に形成され、略水平方向に沿って平坦に配されている。布線板１２は、枠部１１ｂの上面に取り付けられる。布線板１２には、該布線板１２を貫通した取付孔が設けられている。取付孔内には、導通検査治具１が取り付けられる。
【００２９】
導通検査治具１は、コネクタ１６の端子の導通検査を行う。導通検査治具１は、図２に示すように、治具本体２と、保持手段４と、導通検査部５と、導通部材５２と、エアシリンダ７１（駆動源に相当する）と、押出部材６と、第二のエアシリンダ７２（第二の駆動源に相当する）とを備えている。
【００３０】
治具本体２は、本体部材２１と、コネクタ収容部材２２と、カバー部材２３とを別体に備えている。本体部材２１は、絶縁性の合成樹脂等からなる。本体部材２１は、図４等に示すように、筒状の収容部２４と、該収容部２４の一端に連なる平板状の上板部２５と、該収容部２４の他端に連なる係止部２６とを備えている。
【００３１】
収容部２４は、鉛直方向（即ちコネクタの挿抜方向Ｓ）に沿って開口するように配されている。収容部２４は、前述した一端側の内部に、コネクタ収容部材２２と後述するロックレバー４１とを収容する。収容部２４は、他端側の内部に導通検査部５を収容する。収容部２４の内面には、該収容部２４の周方向に沿った係止突部２４ａが設けられている。係止突部２４ａには、収容部２４内に収容されたコネクタ収容部材２２の底面が重ねられる。
【００３２】
上板部２５は、収容部２４の一端からフランジ状に形成され、平面形状が矩形状に形成されている。上板部２５は、収容部２４と直交するように設けられている。上板部２５には、ＬＥＤ２５ａとボタン２５ｂとが取り付けられている。
【００３３】
係止部２６は、収容部２４の他端から収容部２４内に向かって突出している。係止部２６は、収容部２４の周方向に沿って設けられている。係止部２６には、収容部２４内に収容された導通検査部５の底面が重ねられる。係止部２６と前述した係止突部２４ａとの間隔は、導通検査部５の高さ（図４中、上下方向）よりも広く設けられている。
【００３４】
コネクタ収容部材２２は、絶縁性の合成樹脂等からなる。コネクタ収容部材２２は、図４等に示すように、底壁２７と、該底壁２７の外縁から立設した周壁２８と、該周壁２８の内側を仕切る隔壁２９とを備え、有底筒状に形成されている。
【００３５】
底壁２７には、内部に導通部材５２の後述する導通ピン５２ａを挿通する挿通孔２７ａ（図５）が設けられている。挿通孔２７ａは、底壁２７を貫通して複数設けられている。
【００３６】
周壁２８には、該周壁２８をその先端から底壁２７に向かって直線状に切り欠いた切り欠き部２８ａ（図２）と、ガイド孔２８ｂとが設けられている。ガイド孔２８ｂは、周壁２８が立設する方向（即ち前記挿抜方向Ｓ）に沿って該周壁２８を貫通している。
【００３７】
コネクタ収容部材２２は、切り欠き部２８ａが設けられた周壁２８と隔壁２９とに囲まれる空間（以下、コネクタ収容穴という。凹部に相当する）３０内にコネクタ１６を収容する。コネクタ収容穴３０の前記挿抜方向Ｓに沿った断面形状は一定に設けられている。コネクタ収容穴３０の内径は、コネクタ１６の外径よりも大きく設けられている。コネクタ収容穴３０内には、該コネクタ収容穴３０の底面からスイッチピン３０ａが突出している。スイッチピン３０ａは、コネクタ収容穴３０内にコネクタ１６が収容されたか否かを検出する。
【００３８】
カバー部材２３は、絶縁性の合成樹脂等からなり、矩形平板状に形成されている。カバー部材２３は、図３及び図４に示すように、コネクタ収容部材２２、ロックレバー４１や導通検査部５を収容した本体部材２１の上板部２５上に重ねられて、本体部材２１に取り付けられる。カバー部材２３は、上板部２５と略同じ大きさに形成されるとともに、布線板１２の取付孔よりも大きく形成されている。カバー部材２３には、コネクタ収容部材２２の前述したコネクタ収容穴３０と連通する貫通穴３１が設けられている。貫通穴３１とコネクタ収容穴３０とで、コネクタ１６を収容自在な穴３２を構成している。貫通穴３１がカバー部材２３を貫通しているので、穴３２は、勿論、治具本体２の外表面としてのカバー部材２３の上面に開口している。
【００３９】
また、カバー部材２３には、該カバー部材２３を本体部材２１に取り付けるための孔と、導通検査治具１をベース１１に固定するための孔と、本体部材２１に取り付けられたＬＥＤ２５ａやボタン２５ｂを露出する孔とが設けられている。
【００４０】
保持手段４は、図２等に示すように、ロックレバー４１と、コイルばね（図示せず）と、第三の駆動源としての第三のエアシリンダ７３とを備えている。ロックレバー４１は、絶縁性の合成樹脂等からなる。ロックレバー４１は、図４に示すように、本体部材２１の収容部２４内に収容され、本体部材２１のカバー部材２３寄りの外表面（以下、上面という）２１ａ近傍に配されている。ロックレバー４１は、長手方向の中央部を中心として本体部材２１に回動自在に支持されている。ロックレバー４１は、本体部材２１の上面２１ａと平行な平面上で回動自在である。
【００４１】
ロックレバー４１は、棒状のレバー本体４３と、該レバー本体４３の一端部に連なるロック突起４４とを備えている。ロック突起４４は、レバー本体４３の長手方向に直交する方向に突出するとともに、レバー本体４３の本体部材２１から離れた外表面から突出している。
【００４２】
コイルばねの一端は、レバー本体４３の一端部に取り付けられている。他端は、本体部材２１の上面２１ａの、ロック突起４４よりもコネクタ収容部材２２から離れた位置に取り付けられている。コイルばねは、ロック突起４４がコネクタ収容部材２２に近づく方向にロックレバー４１を付勢している。
【００４３】
第三のエアシリンダ７３は、図２に示すように、シリンダ本体７３ａと、該シリンダ本体７３ａから突没自在に設けられたロッド７３ｂと、該シリンダ本体７３ａ内を封止するプラグ７３ｃとを備えている。シリンダ本体７３ａは、本体部材２１のカバー部材２３から離れた外表面（以下、下面という）２１ｂ側に設けられ、該下面２１ｂと平行に配されている。ロッド７３ｂの先端は、レバー本体４３の他端部と相対するように配されている。第三のエアシリンダ７３は、ロッド７３ｂを伸縮することで、レバー本体４３即ちロックレバー４１を回動させる。
【００４４】
前述した構成の保持手段４は、コネクタ収容穴３０（即ち穴３２）内にコネクタ１６が収容されていない状態ではロッド７３ｂが伸長して、該ロッド７３ｂがコイルばねの付勢力に抗してレバー本体４３の他端部を押圧する。そして、ロック突起４４をコネクタ収容穴３０の内面よりも該コネクタ収容穴３０の外側に位置させ（コネクタ収容穴３０の内面から突出させない）、ロックレバー４１をロック解除状態にする（図６及び図１０）。
【００４５】
また、保持手段４は、コネクタ収容穴３０（即ち穴３２）内にコネクタ１６が収容されるとロッド７３ｂが縮小して、コイルばねの付勢力によってロック突起４４をコネクタ収容穴３０の内面よりも該コネクタ収容穴３０の内側に突出させ（コネクタ収容穴３０の内面から突出させ）、ロックレバー４１をロック状態にする（図４及び図９）。そして、コネクタ収容穴３０内に収容されたコネクタ１６をコネクタ収容穴３０内に保持する。
【００４６】
導通検査部５は、図２に示すように、検査部本体５１と、導通部材５２とを備えている。検査部本体５１は、絶縁性の合成樹脂等からなり、方体状に形成されている。検査部本体５１は、本体部材２１の収容部２４内に配される。検査部本体５１には、突出片５３と、ガイド孔５４とが設けられている。
【００４７】
突出片５３は、検査部本体５１の収容部２４の内面と相対する外表面（側面）に設けられている。突出片５３は、検査部本体５１の側面から突出するとともに、前記挿抜方向Ｓに対して平行に設けられている。
【００４８】
ガイド孔５４は、検査部本体５１の幅方向（図２中、右上・左下方向）の両端に設けられている。ガイド孔５４は、検査部本体５１の高さ方向（図２中、上下方向、即ち前記挿抜方向Ｓ）に沿って検査部本体５１を貫通している。ガイド孔５４は、コネクタ収容部材２２のガイド孔２８ｂと連通する。連通したガイド孔５４、２８ｂ内には図示しないガイド棒が通され、検査部本体５１（即ち導通検査部５）は、収容部２４内で導通検査部５の上側に配されるコネクタ収容部材２２（後述するコネクタ収容穴３０即ち穴３２内に保持されたコネクタ１６）に対して、前記挿抜方向Ｓに沿って接離自在に設けられている。
【００４９】
導通部材５２は、導通検査部５に設けられ、複数の導通ピン５２ａからなる。導通ピン５２ａは、それぞれ、導電性の金属材料等からなり、ピン状に形成されている。導通ピン５２ａは、それぞれ、検査部本体５１を貫通している。導通ピン５２ａは、図５に示すように、それぞれ、一端が検査部本体５１のコネクタ収容部材２２と相対する外表面（上面）から突出するとともに、他端が検査部本体５１のコネクタ収容部材２２から離れた外表面（下面）から突出している。
【００５０】
導通ピン５２ａは、検査部本体５１（即ち導通検査部５）がコネクタ１６に近づくと、コネクタ収容穴３０（即ち穴３２）内に収容されたコネクタ１６の端子収容室１５ａと合致する位置に設けられている。導通ピン５２ａは、コネクタ収容穴３０内に収容されたコネクタ１６の端子と接触して、該端子と電気的に接続する。導通ピン５２ａの他端部には、それぞれ、図示しない電線が接続されている。これら電線は、制御装置１３に接続されている。即ち、導通検査部５は、制御装置１３に接続されている。
【００５１】
エアシリンダ７１は、図２に示すように、シリンダ本体７１ａと、該シリンダ本体７１ａから突没自在に設けられたロッド７１ｂと、該シリンダ本体７１ａ内を封止するプラグ７１ｃとを備えている。シリンダ本体７１ａは、本体部材２１の下面２１ｂ側に設けられ、該下面２１ｂと直交するように配されている。シリンダ本体７１ａは、前記挿抜方向Ｓと平行に配されている。ロッド７１ｂの先端は、導通検査部５の突出片５３の先端と相対するように配されている。
【００５２】
エアシリンダ７１は、ロッド７１ｂを伸長することで、該ロッド７１ｂの先端が導通検査部５の突出片５３を押圧して、本体部材２１の収容部２４内に収容された導通検査部５を前記挿抜方向Ｓに沿って押し上げて導通検査部５をコネクタ収容穴３０（即ち穴３２）内に収容されたコネクタ１６に近づける。
【００５３】
また、エアシリンダ７１は、ロッド７１ｂを縮小することで、収容部２４内に収容された導通検査部５を自由落下させて前記挿抜方向Ｓに沿って該コネクタ１６から遠ざけて、導通検査部５を収容部２４内の係止部２６上（初期位置）に位置付ける。以上のように、エアシリンダ７１は、導通検査部５を前記挿抜方向Ｓに沿ってコネクタ１６に接離させる。
【００５４】
なお、導通検査部５を前記挿抜方向Ｓに沿って初期位置に付勢するコイルばねが設けられていてもよい。この場合、ロッド７１ｂを伸長することでコイルばねを弾性変形させながら導通検査部５を押し上げ、ロッド７１ｂを縮小することでコイルばねの弾性復元力によって導通検査部５を初期位置に位置付けるので、導通検査部５を確実に初期位置に戻すことができる。
【００５５】
また、ロッド７１ｂの先端と導通検査部５の突出片５３の先端とを連結しておいてもよい。この場合、ロッド７１ｂを縮小することで導通検査部５を引き戻して初期位置に位置付けるので、導通検査部５を確実に初期位置に戻すことができる。
【００５６】
押出部材６は、絶縁性の合成樹脂等からなる。押出部材６は、図２に示すように、押出板６１と、突出部６２と、ブロック部６３とを一体に備えている。押出板６１は、長方形平板状に形成され、コネクタ収容穴３０の底面より僅かに小さく形成されている。また、押出板６１には、内部に導通ピン５２ａを挿通する挿通孔６１ａと、内部にスイッチピン３０ａを通すスイッチピン孔６１ｂとが設けられている。
【００５７】
挿通孔６１ａは、押出板６１を貫通して複数設けられている。複数の挿通孔６１ａは、後述するように押出板６１がコネクタ収容穴３０内に収容されると、コネクタ収容部材２２の挿通孔２７ａと連通する位置に設けられている。スイッチピン孔６１ｂは、押出板６１の外縁に設けられ、断面半円形状の溝状に形成されている。
【００５８】
突出部６２は、長方形平板状に形成され、その幅がコネクタ収容部材２２の切り欠き部２８ａの幅より狭く設けられている。突出部６２は、押出板６１の長手方向中央に連なり、該長手方向に直交する方向に突出している。突出部６２と押出板６１とは、同一平面上に配されている。突出部６２の基端は切り欠き部２８ａ内に通され、先端はコネクタ収容部材２２から突出する。
【００５９】
ブロック部６３は、突出部６２の長手方向中央に設けられ、突出部６２の外表面から突出している。ブロック部６３には、ガイド孔６３ａが設けられている。ガイド孔６３ａは、ブロック部６３と、突出部６２の長手方向中央とを貫通している。ガイド孔６３ａは、ブロック部６３の突出する方向（即ち前記挿抜方向Ｓ）に沿って設けられている。ガイド孔６３ａ内には図示しないガイド棒が通され、押出部材６は前記挿抜方向Ｓに沿って変位自在に設けられている。
【００６０】
前述した構成の押出部材６は、押出板６１がコネクタ収容穴３０内に収容され、押出板６１を予め収容したコネクタ収容穴３０（即ち穴３２）内にコネクタ１６が収容される。即ち、押出板６１（押出部材６）は、図５等に示すように、コネクタ１６の前面と対向するとともに、前記挿抜方向Ｓに沿ってコネクタ１６とコネクタ収容部材２２（治具本体２）との間に配されている。
【００６１】
第二のエアシリンダ７２は、図２に示すように、シリンダ本体７２ａと、該シリンダ本体７２ａから突没自在に設けられたロッド７２ｂと、該シリンダ本体７２ａ内を封止するプラグ７２ｃとを備えている。シリンダ本体７２ａは、本体部材２１の下面２１ｂ側に設けられ、該下面２１ｂと直交するように配されている。シリンダ本体７２ａは、前記挿抜方向Ｓと平行に配されている。ロッド７２ｂの先端は、押出部材６の突出部６２の先端と相対するように配されている。
【００６２】
第二のエアシリンダ７２は、ロッド７２ｂを伸長することで、該ロッド７２ｂの先端が押出部材６の突出部６２を押圧して、コネクタ収容穴３０内に収容された押出部材６を前記挿抜方向Ｓに沿って押し上げる。そして、押出部材６を押し上げることによって、押出部材６の上側に配されたコネクタ１６をコネクタ収容穴３０（即ち穴３２）外へと押し出す。
【００６３】
また、第二のエアシリンダ７２は、ロッド７２ｂを縮小することで、コネクタ収容穴３０内に収容された押出部材６を前記挿抜方向Ｓに沿って自由落下させて、押出部材６をコネクタ収容部材２２のコネクタ収容穴３０の底面上（初期位置）に位置付ける。以上のように、エアシリンダ７１は、押出部材６を前記挿抜方向Ｓに沿って変位させる。
【００６４】
なお、押出部材６を前記挿抜方向Ｓに沿って初期位置に付勢するコイルばねが設けられていてもよい。この場合、ロッド７２ｂを伸長することでコイルばねを弾性変形させながら押出部材６を押し上げ、ロッド７２ｂを縮小することでコイルばねの弾性復元力によって押出部材６を初期位置に位置付けるので、押出部材６を確実に初期位置に戻すことができる。
【００６５】
また、ロッド７２ｂの先端と押出部材６の突出部６２の先端とを連結しておいてもよい。この場合、ロッド７２ｂを縮小することで押出部材６を引張り戻して初期位置に位置付けるので、押出部材６を確実に初期位置に戻すことができる。
【００６６】
制御装置１３は、周知のコンピュータ等を備えており、導通検査治具１の前述したＬＥＤ２５ａ、ボタン２５ｂ、スイッチピン３０ａやエアシリンダ７１、７２、７３等と接続してこれらの動作を制御し、導通検査装置１０全体を制御する。
【００６７】
制御装置１３は、ワイヤハーネスに導通検査を行う際に、予めコネクタ１６を保持する導通検査治具１を記憶している。制御装置１３は、ワイヤハーネスに導通検査を行う際に、コネクタ１６を保持する導通検査治具１のＬＥＤ２５ａを点灯させる。制御装置１３は、スイッチピン３０ａからの情報に基づいて、ＬＥＤ２５ａが点灯した全ての導通検査治具１にコネクタ１６が取り付けられたか否かを判定する。制御装置１３は、ＬＥＤ２５ａが点灯した全ての導通検査治具１にコネクタ１６が保持されたと判定すると、まず、ＬＥＤ２５ａが点灯した全ての導通検査治具１の第三のエアシリンダ７３のロッド７３ｂを縮小させる。続いて、エアシリンダ７１のロッド７１ｂを伸長させる。
【００６８】
そして、制御装置１３は、ワイヤハーネスのコネクタ１６の端子に順に電流を流して、端子間の導通状況を把握する。制御装置１３は、把握した端子間の導通状況と、良品のワイヤハーネスの端子間の導通状況とを対比して、導通検査中のワイヤハーネスが良品であるか否かを判定する。制御装置１３は、判定が終了すると、判定結果を表示装置（図示せず）等に表示して、エアシリンダ７１のロッド７１ｂを縮小させるとともに、第三のエアシリンダ７３のロッド７３ｂを伸長させる。その後、第二のエアシリンダ７２のロッド７２ｂを伸長させる。
【００６９】
また、制御装置１３は、ボタン２５ｂからの情報に基づいて、第三のエアシリンダ７３のロッド７３ｂを伸長させた後に第二のエアシリンダ７２のロッド７２ｂを伸長させて、導通検査途中のコネクタ１６であっても随時コネクタ１６を穴３２内から取り出す。
【００７０】
前述した構成の導通検査装置１０を用いてワイヤハーネスの良否を判定する際の導通検査方法を、図３ないし図１０を用いて説明する。まず、導通検査装置１０を作動させて、コネクタ１６を収容すべき導通検査治具１のＬＥＤ２５ａを点灯させる。このときの状態を図３に示す。このとき、第三のエアシリンダ７３のロッド７３ｂは伸長しており、ロックレバー４１はロック解除状態にされている。また、エアシリンダ７１のロッド７１ｂは縮小しており、導通検査部５は初期位置に位置付けられている。また第二のエアシリンダ７２のロッド７２ｂは縮小しており、押出部材６は初期位置に位置付けられている。
【００７１】
そして、作業員は、ＬＥＤ２５ａが点灯した導通検査治具１の穴３２内にコネクタ１６を挿入して、ワイヤハーネスを布線板１２上に布線する。スイッチピン３０ａからの情報に基づいて全ての導通検査治具１にコネクタ１６が取り付けられたと判定すると、導通検査装置１０は、まず、全ての導通検査治具１の第三のエアシリンダ７３のロッド７３ｂを縮小させて、図４及び図９に示すようにロックレバー４１をロック状態に回動してコネクタ１６を穴３２内に保持する。
【００７２】
続いて、導通検査装置１０は、全ての導通検査治具１のエアシリンダ７１のロッド７１ｂを伸長させて導通検査治具１を押し上げ、図５に示すようにコネクタ１６の端子に導通ピン５２ａを接触させて導通検査を行う。導通検査装置１０は、ワイヤハーネスの良否を判定した後、ワイヤハーネスの良否等を表示装置等に表示する。
【００７３】
そして、導通検査装置１０は、全ての導通検査治具１のエアシリンダ７１のロッド７１ｂを縮小させて、図７に示すように導通検査部５を初期位置に位置付けてコネクタ１６の端子から導通ピン５２ａを遠ざける。また同時に、全ての導通検査治具１の第三のエアシリンダ７３のロッド７３ｂを伸長させて、図６に示すようにロックレバー４１をロック解除状態に回動させる。
【００７４】
その後、導通検査装置１０は、全ての導通検査治具１の第二のエアシリンダ７２のロッド７２ｂを伸長させて、図８及び図１０に示すように押出部材６を穴３２外へ向かって押し上げて、コネクタ１６を穴３２外へと押し出す。
【００７５】
本実施形態によれば、コネクタ１６の端子の導通検査を行う導通検査治具１であって、コネクタ１６を収容自在でかつ外表面に開口した穴３２を有した治具本体２と、穴３２内に収容されたコネクタ１６を該穴３２内に保持する保持手段４と、穴３２内に保持されたコネクタ１６に対して接離自在に設けられた導通検査部５と、導通検査部５に設けられかつ該導通検査部５がコネクタ１６に近づくと端子と電気的に接続する導通ピン５２ａと、導通検査部５をコネクタ１６に接離させるエアシリンダ７１と、穴３２内に前記挿抜方向Ｓに沿ってコネクタ１６と治具本体２との間に配された押出部材６と、押出部材６を前記挿抜方向Ｓに沿って変位させる第二のエアシリンダ７２とを備えているので、コネクタ１６が穴３２内に保持された後で導通検査部５がコネクタ１６に近づいて導通検査を行うことによって、コネクタ１６を穴３２内に挿入する際にコネクタ１６の端子や導通ピン５２ａに負荷をかけることがなく、また、コネクタ１６を簡単に取り付けることができる。さらに、導通検査が終了した後に押出部材６がコネクタ１６を押し上げて該コネクタ１６を穴３２外に押し出すことによって、コネクタ１６を穴３２外に押し出す際にコネクタ１６の端子や導通ピン５２ａに負荷をかけることがなく、また、コネクタ１６を簡単に取り外すことができる。
【００７６】
治具本体２が、本体部材２１と、該本体部材２１と別体で設けられかつ内部にコネクタ１６を収容するコネクタ収容穴３０を有したコネクタ収容部材２２とを備えているので、導通検査を行うコネクタ１６に合わせてコネクタ収容部材２２のみを取り替えるだけで、治具本体２を異なるコネクタ１６に対応させ、コストダウンを図ることができる。
【００７７】
押出部材６が、穴３２内に収容されたコネクタ１６の前面と対向するとともに複数の導通ピン５２ａからなる導通部材５２を挿通する挿通孔６１ａを有した押出板６１と、押出板６１から突出して設けられた突出部６２とを備えているので、コネクタ１６の前面を押し上げることによって、導通ピン５２ａに負担をかけることなく、且つ、コネクタ１６を確実に前記挿抜方向Ｓに沿って真っ直ぐに押し上げることができる。
【００７８】
エアシリンダ７１が、前記挿抜方向Ｓに沿って導通検査部５をコネクタ１６に接離させるので、導通検査部５を確実にコネクタ１６に接離させることができる。
【００７９】
第二のエアシリンダ７２が、前記挿抜方向Ｓに沿って押出部材６を変位させるので、押出部材６を確実にコネクタ１６に接離させることができる。
【００８０】
表面上にワイヤハーネスを布線する布線板１２と、該布線板１２に設置された導通検査治具１とを備えているので、コネクタ１６の端子や導通ピン５２ａに負荷をかけることがなく、また、コネクタ１６を簡単に取り付けて取り外すことができる。
【００８１】
予め押出部材６を収容した穴３２内にコネクタ１６を収容して保持し、穴３２内に保持されたコネクタ１６の端子に導通ピン５２ａを近づけて導通検査を行った後に該端子から該導通ピン５２ａを遠ざけ、押出部材６を穴３２外へ向かって変位させてコネクタ１６を穴３２外へと押し出すので、コネクタ１６を穴３２内に挿入する際にコネクタ１６の端子や導通ピン５２ａに負荷をかけることがなく、また、コネクタ１６を簡単に取り付けることができる。さらに、コネクタ１６を穴３２外に押し出す際にコネクタ１６の端子や導通ピン５２ａに負荷をかけることがなく、また、コネクタ１６を簡単に取り外すことができる。
【００８２】
本実施形態においては、駆動源、第二の駆動源及び第三の駆動源は、それぞれ、エアシリンダ７１、７２、７３とされていた。しかしながら本発明では、駆動源、第二の駆動源及び第三の駆動源として、ソレノイドやモータ等を用いてもよい。
【００８３】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００８４】
【図１】本発明の一実施形態にかかる導通検査装置の概要を示す斜視図である。
【図２】図１に示された導通検査治具を分解して示す斜視図である。
【図３】図１に示された導通検査治具にコネクタが取り付けられる前の状態を示す斜視図である。
【図４】図３に示されたコネクタが穴内に保持された状態を示す断面斜視図である。
【図５】図４に示されたコネクタに導通検査部が近づいて導通検査を行っている状態を示す断面斜視図である。
【図６】図５に示されたコネクタの導通検査が終了してロックレバーが解除された状態を示す斜視図である。
【図７】図６中のＶＩＩ−ＶＩＩ線に沿った断面斜視図である。
【図８】図７に示されたコネクタが穴外へ押し出されている状態を示す断面斜視図である。
【図９】図４に示された導通検査治具の内部を示す斜視図である。
【図１０】図８に示された導通検査治具の内部を示す斜視図である。
【符号の説明】
【００８５】
１    導通検査治具
２    治具本体
４    保持手段
５    導通検査部
６    押出部材
１２    布線板
１６    コネクタ
２１    本体部材
２２    コネクタ収容部材
３０    コネクタ収容穴（凹部）
３２    穴
５２    導通部材
５２ａ    導通ピン
６１    押出板
６１ａ    挿通孔
６２    突出部
７１    エアシリンダ（駆動源）
７２    第二のエアシリンダ（第二の駆動源）
Ｓ    コネクタの挿抜方向
【図１】
2009128216.tif 000003
【図２】
2009128216.tif 000004
【図３】
2009128216.tif 000005
【図４】
2009128216.tif 000006
【図５】
2009128216.tif 000007
【図６】
2009128216.tif 000008
【図７】
2009128216.tif 000009
【図８】
2009128216.tif 000010
【図９】
2009128216.tif 000011
【図１０】
2009128216.tif 000012